(57)【要約】【課題】良好な視界を確保可能で、取り扱い易いリムレス眼鏡フレーム及びそれを備えたリムレス眼鏡を提供することを目的とする。【解決手段】ヒンジ１１６Ａ，１１６Ｂを介してテンプル１１２Ａ，１１２Ｂが連結される左右のヨロイ１１４Ａ，１１４Ｂが形成された連結バー１１８に、レンズ２００Ａ，２００Ｂの外周側面が当接するストッパー部１２２Ａ，１２２Ｂと、レンズの表面に配設される端面配設部１２４Ａ，１２４Ｂと、端面配設部１２４Ａ，１２４Ｂに形成され、レンズ２００Ａ，２００Ｂに形成された第１穴部及び第２穴部に挿入された状態で、レンズ２００Ａ，２００Ｂを保持する第１ピン部１２６Ａ，１２６Ｂ及び第２ピン部１２８Ａ，１２８Ｂと、を左右両端側に各々備えるブリッジ１２０を、取り付けたフレーム１００及びそれを備えたリムレス眼鏡１０とした。【選択図】図１
2010107794.tif 000002
【特許請求の範囲】
【請求項１】
左右一対のテンプルと、前記テンプルが連結されるヨロイが両端部に形成された連結バーと、前記テンプルと前記ヨロイとを連結するための左右のヒンジと、右眼用レンズ及び左眼用レンズを保持し、前記連結バーに取り付けられるブリッジと、を備えるリムレス眼鏡フレームであって、
前記ブリッジは、
右側に、前記右眼用レンズの外周側面に当接する右側ストッパー部と、前記右眼用レンズの一側の端面の所定の位置に配設される右側端面配設部と、前記右側端面配設部に形成され、前記右眼用レンズに形成された右側第１穴部に挿入される右側第１ピン部及び前記右眼用レンズに形成された右側第２穴部に挿入される右側第２ピン部と、を備え、
左側に、前記左眼用レンズの外周側面に当接する左側ストッパー部と、前記左眼用レンズの一側の端面の所定の位置に配設される左側端面配設部と、前記左側端面配設部に形成され、前記左眼用レンズに形成された左側第１穴部に挿入される左側第１ピン部及び前記左眼用レンズに形成された左側第２穴部に挿入される左側第２ピン部と、を備え、
前記右側第１ピン部及び前記右側第２ピン部各々は、前記右側第１穴部及び前記右側第２穴部各々に挿入された状態で、前記右眼用レンズを前記右側第１ピン部及び前記右側第２ピン部による弾性力で保持し、
前記左側第１ピン部及び前記左側第２ピン部各々は、前記左側第１穴部及び前記左側第２穴部各々に挿入された状態で、前記左眼用レンズを前記左側第１ピン部及び前記左側第２ピン部による弾性力で保持することを特徴とするリムレス眼鏡フレーム。
【請求項２】
前記右側第１ピン部及び前記右側第２ピン部各々は、前記右側第１穴部及び前記右側第２穴部各々を貫通しない長さに形成され、
前記左側第１ピン部及び前記左側第２ピン部各々は、前記左側第１穴部及び前記左側第２穴部各々を貫通しない長さに形成されていることを特徴とする請求項１に記載のリムレス眼鏡フレーム。
【請求項３】
前記ブリッジは、所定の素材を一体成形し、形成されていることを特徴とする請求項１又は請求項２に記載のリムレス眼鏡フレーム。
【請求項４】
請求項１から請求項３のいずれか１項に記載のリムレス眼鏡フレームと、前記リムレス眼鏡フレームの前記ブリッジに保持された、右眼用レンズ及び左眼用レンズと、を備えたことを特徴とするリムレス眼鏡。
【発明の詳細な説明】
【技術分野】
【０００１】
本発明は、リムレス眼鏡における右眼用及び左眼用のレンズの保持に関するものである。
【背景技術】
【０００２】
リムレス眼鏡において、右眼用及び左眼用のレンズのフレームへの取り付け（保持）に関する構成が多く提案されている。例えば、レンズの内外側縁部近傍のレンズ孔にヨロイ部材の脚部及びブリッジ側樹脂パーツの脚部を挿入することにより、ヨロイ部材及びブリッジ側樹脂性パーツを、それぞれ、レンズに固着する構成が提案されている（例えば、特許文献１参照）。
【０００３】
また、連結部材とレンズの間と、ヨロイとレンズの間と、に樹脂製の回り止め部品を介在させ、回り止め部品は、レンズに設けたスリーブ穴に嵌るスリーブと、レンズ外周に接
する当り面を形成した当り片を連結片にて繋ぐ構成が提案されている（例えば、特許文献２参照）。
【特許文献１】特開２００４−５３６９１号公報
【特許文献２】特開２００６−５８７１７号公報
【発明の開示】
【発明が解決しようとする課題】
【０００４】
リムレス眼鏡は、その名称のとおり左右両側のレンズを保持するためのリムを備えず、それ故、リムレス眼鏡を装着した利用者の視界がリムによって妨げられることがなく、良好な視界を確保することができる。
【０００５】
しかし、リムレス眼鏡においてレンズの保持は、レンズに穴を形成し、ヨロイ及びブリッジを構成する部材を、このレンズに形成された穴に挿入することで行われる。ここで、例えば、左右のテンプル間の幅に比較し、利用者の顔の幅が広い場合、利用者がリムレス眼鏡を装着すると、テンプルが利用者の顔の幅方向（テンプルが折りたたまれる方向とは、逆の方向）に広がる。そして、それにともない、レンズに力（応力）が作用する。なお、リムレス眼鏡を装着した状態でレンズに力が作用すると、所定の値に設定された眼とレンズとの間の距離にずれが生じる（例えば、テンプル間の幅が広がった場合、眼とレンズとの間の距離は大きくなる。）。
【０００６】
また、リムレス眼鏡を装着している状態において、一方のテンプルを把持し、他方のテンプルに取り付けられたモダンを支点（中心）として、リムレス眼鏡を、他方側に回転させながら顔から取り外す場合も、上記同様に変形し、レンズに力が作用する。
【０００７】
この他、リムレス眼鏡は、取扱い中いおいて、種々の方向に変形し、レンズには種々の向きの力が作用する。そして、レンズに形成された穴部の近傍には、応力集中が発生する。レンズに発生する応力集中は、例えば、レンズ割れの原因となる場合があるため（上述の特許文献２参照）、リムレス眼鏡の利用者は、この点に留意する必要がある。
【０００８】
本発明は、良好な視界を確保可能で、取り扱い易いリムレス眼鏡フレーム及びそれを備えたリムレス眼鏡を提供することを目的とする。
【課題を解決するための手段】
【０００９】
上記課題に鑑みなされた本発明は、ヒンジを介してテンプルが連結されるヨロイが両端部に形成された連結バーに、レンズの外周側面が当接するストッパー部と、レンズの一側の端面に配設される端面配設部と、端面配設部に形成され、レンズに形成された第１穴部及び第２穴部に挿入された状態で、レンズを保持する第１ピン部及び第２ピン部と、を左右両側に各々備えるブリッジを取り付けたリムレス眼鏡フレーム及びそれを備えたリムレス眼鏡としたものである。
【００１０】
本発明を反映した第１の課題解決手段は、左右一対のテンプルと、前記テンプルが連結されるヨロイが両端部に形成された連結バーと、前記テンプルと前記ヨロイとを連結するための左右のヒンジと、右眼用レンズ及び左眼用レンズを保持し、前記連結バーに取り付けられるブリッジと、を備えるリムレス眼鏡フレームであって、前記ブリッジは、右側に、前記右眼用レンズの外周側面に当接する右側ストッパー部と、前記右眼用レンズの一側の端面の所定の位置に配設される右側端面配設部と、前記右側端面配設部に形成され、前記右眼用レンズに形成された右側第１穴部に挿入される右側第１ピン部及び前記右眼用レンズに形成された右側第２穴部に挿入される右側第２ピン部と、を備え、左側に、前記左眼用レンズの外周側面に当接する左側ストッパー部と、前記左眼用レンズの一側の端面の所定の位置に配設される左側端面配設部と、前記左側端面配設部に形成され、前記左眼用レンズに形成された左側第１穴部に挿入される左側第１ピン部及び前記左眼用レンズに形成された左側第２穴部に挿入される左側第２ピン部と、を備え、前記右側第１ピン部及び前記右側第２ピン部各々は、前記右側第１穴部及び前記右側第２穴部各々に挿入された状態で、前記右眼用レンズを前記右側第１ピン部及び前記右側第２ピン部による弾性力で保持し、前記左側第１ピン部及び前記左側第２ピン部各々は、前記左側第１穴部及び前記左側第２穴部各々に挿入された状態で、前記左眼用レンズを前記左側第１ピン部及び前記左側第２ピン部による弾性力で保持することを特徴とするリムレス眼鏡フレームである。これによれば、右眼用レンズ及び左眼用レンズ各々を、ブリッジの１ポイントで保持可能で、例えば、テンプルの変形に起因する力が連結バーによって吸収され、この力がレンズに作用することで生じるレンズに形成された穴部近傍での応力集中を防止することができる。
【００１１】
第２の課題解決手段は、第１の課題解決手段のリムレス眼鏡フレームであって、前記右側第１ピン部及び前記右側第２ピン部各々は、前記右側第１穴部及び前記右側第２穴部各々を貫通しない長さに形成され、前記左側第１ピン部及び前記左側第２ピン部各々は、前記左側第１穴部及び前記左側第２穴部各々を貫通しない長さに形成されていることを特徴とする。これによれば、レンズの他端側の端面を突起物ない面とすることができる。なお、突起物のない面とすることにより、レンズの汚れが抑制される。仮に汚れた場合においても、その面を拭き易く、容易に汚れを除去できる。
【００１２】
第３の課題解決手段は、第１又は第２の課題解決手段のリムレス眼鏡フレームであって、前記ブリッジは、所定の素材を一体成形し、形成されていることを特徴とする。これによれば、右眼用レンズ及び左眼用レンズをブリッジに、精度良く取り付け保持することができる。
【００１３】
第４の課題解決手段は、第１から第３の課題解決手段のいずれか１つのリムレス眼鏡フレームと、前記リムレス眼鏡フレームの前記ブリッジに保持された、右眼用レンズ及び左眼用レンズと、を備えたことを特徴とするリムレス眼鏡。これによれば、上記優れた機能を発揮できるリムレス眼鏡とすることができる。
【発明の効果】
【００１４】
本発明によれば、良好な視界を確保可能で、取り扱い易いリムレス眼鏡フレーム及びそれを備えたリムレス眼鏡を得ることができる。
【発明を実施するための最良の形態】
【００１５】
本発明を反映した上記課題解決手段を実施するための実施形態について、図面を用いて以下に詳細に説明する。上記課題解決手段は以下に記載の構成に限定されるものではなく、同一の技術的思想において種々の構成を採用することができる。
【００１６】
（リムレス眼鏡フレーム及びリムレス眼鏡の構成）
図１は、本実施形態に係るリムレス眼鏡フレームを備えたリムレス眼鏡を示すものである。詳細には、図１（ａ）はリムレス眼鏡の上面図を示し、図１（ｂ）はリムレス眼鏡の正面図を示す。
【００１７】
リムレス眼鏡１０は、リムレス眼鏡フレーム（以下、単に「フレーム」という。）１００と、右眼用のレンズ２００Ａと、左眼用のレンズ２００Ｂと、により構成されている。ここで、フレーム１００は、左右のテンプル１１２Ａ，１１２Ｂと、ヨロイ１１４Ａ，１１４Ｂと、ヒンジ１１６Ａ，１１６Ｂと、連結バー１１８と、ブリッジ１２０と、によって構成される。フレーム１００を構成する、例えば、テンプル１１２Ａ，１１２Ｂ、ヨロイ１１４Ａ，１１４Ｂ、ヒンジ１１６Ａ，１１６Ｂ、連結バー１１８には、バネ性の高い素材、より具体的には、βチタンが採用される。これによれば、軽量、高剛性及び高弾性を実現することができる。ブリッジ１２０には、利用者の鼻に当接し、リムレス眼鏡１０を利用者の鼻で支持する鼻パッド１３０Ａ，１３０Ｂが、例えば、ロウ付けされている。
【００１８】
フレーム１００の構成について詳細に説明する。フレーム１００は、他端側に利用者の右耳に接するモダン（図１において描画せず）が取り付けられたテンプル１１２Ａの一端側を、連結バー１１８の右側端部に形成されたヨロイ１１４Ａに、ヒンジ１１６Ａを介して連結し、また、利用者の左耳に接するモダン（図１において描画せず）が取り付けられたテンプル１１２Ｂの一端側を、連結バー１１８の左側端部に形成されたヨロイ１１４Ｂに、ヒンジ１１６Ｂを介して連結し、連結バー１１８の中心部（利用者の顔の幅の中心に対応）に、右眼用のレンズ２００Ａ及び左眼用のレンズ２００Ｂを保持するブリッジ１２０を取り付けた構成を有する。ブリッジ１２０は、利用者がリムレス眼鏡１０を装着した状態において、利用者の顔と反対側となる連結バー１１８の面（部分）に取り付けられている。両者の位置関係は、相互の当接面に各々形成された凹部（ブリッジ１２０側に形成）及び凸部（連結バー１１８側に形成）によって適切に決定される。なお、ブリッジ１２０と連結バー１１８とは、例えば、ロウ付けされる。
【００１９】
図２は、連結バーを示す図である。上述のとおり連結バー１１８の両端部には、ヨロイ１１４Ａ，１１４Ｂが一体成形され、形成されている。また、連結バー１１８は、利用者の顔の形状に沿うよう、湾曲した形状を成している。ここで、ヨロイ１１４Ａ，１１４Ｂには、ヒンジ１１６Ａ，１１６Ｂの一部を構成する部材（要素）が一体成形され、形成されている（ヨロイ１１４Ａ，１１４Ｂに形成されたヒンジ１１６Ａ，１１６Ｂを構成する部材について、図２の符号「（１１６Ａ）」及び「（１１６Ｂ）」参照）。
【００２０】
ヒンジ１１６Ａ，１１６Ｂは、ヨロイ１１４Ａ，１１４Ｂに形成された部材と、ヨロイ１１４Ａ，１１４Ｂと同様、テンプル１１２Ａ，１１２Ｂの一端側に一体成形され、形成されたヒンジ１１６Ａ，１１６Ｂの一部を構成する部材（要素）と、を組み合わせ、具体的には、ヨロイ１１４Ａ，１１４Ｂに形成された貫通穴（図２の符号（１１６Ａ），（１１６Ｂ）の引出線の先端部に描画された「○」参照）と、テンプル１１２Ａ，１１２Ｂに形成された貫通穴と、を重ね合わせ、一体的に形成された左右の貫通穴各々に、ねじを装着し、構成されている。
【００２１】
テンプル１１２Ａ，１１２Ｂは、ヒンジ１１６Ａ，１１６Ｂのねじ（回動軸）を中心として所定の範囲を回動可能な状態で、ヨロイ１１４Ａ，１１４Ｂ各々に連結（ヨロイ１１４Ａ，１１４Ｂ各々が両端部に形成された連結バー１１８に連結）されている。
【００２２】
説明を図１に戻し、ブリッジ１２０の構成について説明する。ブリッジ１２０は、右眼用のレンズ２００Ａが保持される右側部分に、レンズ２００Ａの外周側面（図３（ａ）の符号２１４Ａ参照）が当接するストッパー部１２２Ａと、レンズ２００Ａの表面（外界側面、換言すれば、利用者の顔と反対側の面。後述するレンズ２００Ｂについても同一）の所定の位置（図１（ｂ）参照）に配設される端面配設部１２４Ａと、リムレス眼鏡１０を装着した状態で、端面配設部１２４Ａから利用者の顔側に向け突出し、レンズ２００Ａに形成された第１穴部（図３（ａ）の符号２１０Ａ参照）に挿入される第１ピン部１２６Ａ及びレンズ２００Ａに形成された第２穴部（図３（ａ）の符号２１２Ａ参照）に挿入される第２ピン部１２８Ａと、を備える。
【００２３】
また、ブリッジ１２０は、左眼用のレンズ２００Ｂが保持される左側部分に、レンズ２００Ｂの外周側面（図３（ａ）の符号２１４Ｂ参照）が当接するストッパー部１２２Ｂと、レンズ２００Ｂの表面の所定の位置（図１（ｂ）参照）に配設される端面配設部１２４Ｂと、端面配設部１２４Ｂからリムレス眼鏡１０を装着した状態で、利用者の顔側に向け突出し、レンズ２００Ｂに形成された第１穴部（図３（ａ）の符号２１０Ｂ参照）に挿入される第１ピン部１２６Ｂ及びレンズ２００Ｂに形成された第２穴部（図３（ａ）の符号２１２Ｂ参照）に挿入される第２ピン部１２８Ｂと、を備える。なお、ブリッジ１２０は、左右線対象の形状に形成されている。
【００２４】
ここで、ブリッジ１２０は、例えば、連結バー１１８等と同一の素材、具体的には、βチタンによって形成されている。また、ブリッジ１２０は、上記各部材（要素）を、鍛造、切削その他加工法によって一体成形し、形成されている。
【００２５】
続けて、各部材が一体で形成されたブリッジ１２０がレンズ２００Ａ，２００Ｂを保持する構成について、図３に基づき説明する。ここで、図３（ａ）は保持前の態様を示し、図３（ｂ）は右眼用レンズ及び左眼用レンズがブリッジに保持された態様を示すものである。図３は、ブリッジ１２０がレンズ２００Ａ，２００Ｂを保持する構成を概念的に示すものである。したがって、例えば、レンズ２００Ａ，２００Ｂは、図１のように全体形状を描画したものではなく、また、鼻パッド１３０Ａ，１３０Ｂの描画を省略している。なお、上述したとおりブリッジ１２０は、左右線対象の形状に形成されているため、以下の説明は、右眼用のレンズ２００Ａを保持する構成について説明する。左眼用のレンズ２００Ｂについては、レンズ２００Ａと同一の手法によって、ブリッジ１２０の左側に保持（例えば、挟持）される。
【００２６】
レンズ２００Ａに形成された第１穴部２１０Ａ及び第２穴部２１２Ａは、ストッパー部１２２Ａに当接するレンズ外周側面２１４Ａを基準として、所定の位置（例えば、図１参照）に形成されている。ここで、第１穴部２１０Ａ及び第２穴部２１２Ａは、有底形状の穴、換言すれば、レンズ２００Ａの厚み方向に非貫通の穴である。第１穴部２１０Ａ及び第２穴部２１２Ａは、相互に平行に形成されており、かつ第１穴部２１０Ａ及び第２穴部２１２Ａは、レンズ外周側面２１４Ａに対しても平行である。
【００２７】
ブリッジ１２０を形成するストッパー部１２２Ａは、第１穴部２１０Ａ及び第２穴部２１２Ａを加工する際の基準となるレンズ外周側面２１４Ａに当接する面であり、ブリッジ１２０にレンズ２００Ａを保持する（取り付ける）に際し、取付けの基準となる面である。ストッパー部１２２Ａから連続してレンズ２００Ａの表面に回り込むように形成された端面配設部１２４Ａから突出する第１ピン部１２６Ａ及び第２ピン部１２８Ａは、ストッパー部１２２Ａを基準とした所定の位置、具体的には、第１穴部２１０Ａ及び第２穴部２１２Ａ各々に対応する位置に、第１穴部２１０Ａ及び第２穴部２１２Ａの深さ以下の長さで形成されている。
【００２８】
ここで、第１ピン部１２６Ａ及び第２ピン部１２８Ａは、先端部の間隔（図３（ａ）に描画の第１ピン部１２６Ｂ及び第２ピン部１２８Ｂの間隔として記載の「Ｗｔ」と同一）が、根元部の間隔（図３（ａ）に描画の第１ピン部１２６Ｂ及び第２ピン部１２８Ｂの間隔として記載の「Ｗｂ」と同一。）に対し、狭く（Ｗｔ＜Ｗｂ）なるように形成されている。換言すれば、第１ピン部１２６Ａ及び第２ピン部１２８Ａ各々は、所定の角度を持って形成されている（図３（ａ）に描画の角度「θ」参照）。なお、第１ピン部１２６Ａ及び第２ピン部１２８Ａの根元部の間隔（Ｗｂ）は、第１穴部２１０Ａ及び第２穴部２１２Ａの間隔（図３（ａ）に描画の第１穴部２１０Ｂ及び第２穴部２１２Ｂの間隔として記載の「Ｗａ」と同一）と略等しい。
【００２９】
第１ピン部１２６Ａ及び第２ピン部１２８Ａは、第１穴部２１０Ａ及び第２穴部２１２Ａ各々への挿入に際し、先端部の間隔（Ｗｔ）が広がる方向に弾性変形しつつ、挿入される。このとき、第１ピン部１２６Ａは、第１穴部２１０Ａの内壁に沿って挿入され、また、第２ピン部１２８Ａは、第２穴部２１２Ａの内壁に沿って挿入される（図３（ｂ）参照）。第１穴部２１０Ａ及び第２穴部２１２Ａの内壁各々は、第１ピン部１２６Ａ及び第２ピン部１２８Ａ各々が第１穴部２１０Ａ及び第２穴部２１２Ａ各々に挿入された状態において、第１ピン部１２６Ａ及び第２ピン部１２８Ａの弾性変形による反力（弾性力）を受け、これにより、レンズ２００Ａは第１ピン部１２６Ａ及び第２ピン部１２８Ａからの反力によって保持される。換言すれば、第１ピン部１２６Ａ及び第２ピン部１２８Ａ各々は、第１穴部２１０Ａ及び第２穴部２１２Ａ各々に挿入された状態で、レンズ２００Ａを弾性力で保持する。なお、レンズ２００Ａ，２００Ｂの保持に際し、補助的に接着剤等を用いることもできる。
【００３０】
（リムレス眼鏡による機能（作用）の概要）
図４は、リムレス眼鏡が変形した状態を示す図である。図４において、通常（未変形）の状態（以下、「通常状態」という。）にあるリムレス眼鏡を実線で示し、テンプルが顔の幅方向（テンプルが折りたたまれる方向とは逆の方向。図４においてテンプル近傍に描画した矢印参照。）に広がった状態（以下、「拡張状態」という。）にあるリムレス眼鏡を点線で示す。拡張状態において通常状態と同一の形状が維持される個所については、その状態を実線で示している。なお、図４において、テンプル１１２Ａ，１１２Ｂは、その描画を一部省略している。
【００３１】
テンプル１１２Ａ，１１２Ｂに所定の力が作用し、通常状態から拡張状態に変化（変形）した場合、利用者の顔の形状に沿って湾曲した形状を成す連結バー１１８は水平となる方向に変形する（点線での描画参照）。より具体的には、連結バー１１８の両端部分は、連結バー１１８の中心部（図４において符号「Ｃ」参照）を支点としてレンズ２００Ａ，２００Ｂの方向に変形（たわむ）する。
【００３２】
これに対し、変形の支点となる連結バー１１８の中心部の位置は、拡張状態においても通常状態と同一である。すなわち、テンプル１１２Ａ，１１２Ｂに作用する力は、連結バー１１８の両端部分が変形することで吸収され、変形の支点となる連結バー１１８の中心部に取り付けられたブリッジ１２０によってのみ保持（１ポイントで保持）されるレンズ２００Ａ，２００Ｂに作用することはない。リムレス眼鏡１０によれば、フレーム１００に変形が生じた場合であっても、右眼３００Ａとレンズ２００Ａとの間の距離（両者間に記載の矢印参照）及び左眼３００Ｂとレンズ２００Ｂとの間の距離（両者間に記載の矢印参照）を一定状態に維持することができる。
【００３３】
なお、上記説明では、幅方向の変形を例に説明したが、他の方向に変形（利用者の左右の耳の位置（高さ方向の位置）の相違に基づき生じる変形）した場合、又は、３次元的にフレーム１００が変形した場合についても、上記同様、連結バー１１８の中心部を支点として、連結バー１１８が変形し、これにより力が吸収される。
【００３４】
（変形例）
上記構成の他、フレーム１００及びフレーム１００を備えるリムレス眼鏡１０の構成を次のようにすることもできる。すなわち、上記では、レンズ２００Ａ，２００Ｂに形成した第１穴部２１０Ａ，２１０Ｂ及び第２穴部２１２Ａ，２１２Ｂを、非貫通の有底形状の穴として説明したが、貫通穴とすることもできる。この場合も、第１ピン部１２６Ａ，１２６Ｂ及び第２ピン部１２８Ａ，１２８Ｂ各々の長さは、第１ピン部１２６Ａ，１２６Ｂ等の先端部が、レンズ２００Ａ，２００Ｂの裏面（利用者の顔側となる面）に突出しない長さとすると好適である。レンズ２００Ａ，２００Ｂの端面に突起物のない構成は、その面を、クロス等で容易に拭くことができる。
【００３５】
また、上記では、ブリッジ１２０を形成する第１ピン部１２６Ａと第２ピン部１２８Ａとの間隔、及び、第１ピン部１２６Ｂと第２ピン部１２８Ｂとの間隔を、先端部において根本部より狭くした構成に基づき説明した。しかし、これとは逆に、広くすることもできる。かかる場合において、例えば、第１ピン部１２６Ａ及び第２ピン部１２８Ａは、先端部の間隔（Ｗｔ）が狭くなる方向に弾性変形しつつ、第１穴部２１０Ａ及び第２穴部２１２Ａ各々に挿入される。したがって、上記同様、第１穴部２１０Ａ及び第２穴部２１２Ａの内壁各々には、第１ピン部１２６Ａ及び第２ピン部１２８Ａの弾性変形による反力（弾性力）が作用し、第１ピン部１２６Ａ及び第２ピン部１２８Ａ各々は、第１穴部２１２Ａ及び第２穴部各々に挿入された状態において、レンズ２００Ａを弾性力で保持することができる。
【００３６】
さらに、レンズ２００Ａ，２００Ｂの表面に第１穴部２１０Ａ，２１０Ｂ及び第２穴部２１２Ａ，２１２Ｂを形成するとともに、第１ピン部１２６Ａ，１２６Ｂ及び第２ピン部１２８Ａ，１２８Ｂを、レンズ２００Ａ，２００Ｂの表面側から挿入する構成を採用した。しかし、レンズ２００Ａ，２００Ｂの裏面に第１穴部２１０Ａ，２１０Ｂ及び第２穴部２１２Ａ，２１２Ｂを形成し、第１ピン部１２６Ａ，１２６Ｂ及び第２ピン部１２８Ａ，１２８Ｂを、レンズ２００Ａ，２００Ｂの裏面側から挿入する構成とすることもできる。かかる場合、端面配設部１２４Ａ、１２４Ｂは、レンズ２００Ａ、２００Ｂの裏面に回り込むように形成される。
【００３７】
（本実施形態の構成に基づく有利な効果）
本実施形態におけるリムレス眼鏡フレーム１００及びリムレス眼鏡１０によれば、次に記載の有利な効果を得ることができる。
【００３８】
（１）連結バー１１８の中心部に、右眼用のレンズ２００Ａ及び左眼用のレンズ２００Ｂ各々を１ポイントで保持するブリッジ１２０を取り付ける構成をフレーム１００に採用し、このフレーム１００を備えるリムレス眼鏡１０とした。これによれば、先ず、レンズ２００Ａ，２００Ｂのヨロイ１１４Ａ，１１４Ｂ側にねじ等のレンズ保持部材がなく、良好な視界を確保することができる。さらに、例えば、テンプル１１２Ａ，１１２Ｂが変形したとしても、テンプル１１２Ａ，１１２Ｂに作用する力は連結バー１１８によって吸収されるため、従来のリムレス眼鏡のごとくレンズの割れ等に対して、細心の注意を払う必要のない取り扱い易いリムレス眼鏡１０とすることができる。なお、右眼３００Ａとレンズ２００Ａとの間の距離と、左眼３００Ｂとレンズ２００Ｂとの間の距離と、を適切な値に維持することができる。
【００３９】
（２）レンズ２００Ａに形成された、第１穴部２１０Ａ及びこれに平行な第２穴部２１２Ａに挿入される第１ピン部１２６Ａ及び第２ピン部１２８Ａを、先端部の間隔（図３（ａ）のＷｔ参照）が根元部の間隔（図３（ａ）のＷｂ参照）に対して狭くなるように形成するとともに、ストッパー部１２２Ａを基準とした端面配設部１２４Ａの所定の位置に形成し、レンズ２００Ｂに形成された、第１穴部２１０Ｂ及びこれに平行な第２穴部２１２Ｂに挿入される第１ピン部１２６Ｂ及び第２ピン部１２８Ｂを、先端部の間隔（図３（ａ）のＷｔ参照）が根元部の間隔（図３（ａ）のＷｂ参照）に対して狭くなるように形成するとともに、ストッパー部１２２Ｂを基準とした端面配設部１２４Ｂの所定の位置に形成したブリッジ１２０（所定の素材を一体成形し、形成）を取り付ける構成をフレーム１００に採用し、このフレーム１００を備えるリムレス眼鏡１０とした。これによれば、例えば、ねじ締め等の手法を用いることなく（ねじを用いることなく）、第１ピン部１２６Ａ，１２６Ｂ及び第２ピン部１２８Ａ，１２８Ｂによる弾性力によってレンズ２００Ａ，２００Ｂを保持することができる。
【００４０】
（３）ブリッジ１２０への保持のため、レンズ２００Ａ，２００Ｂに形成した第１穴部２１０Ａ，２１０Ｂ及び第２穴部２１２Ａ，２１２Ｂを有底形状の穴とした構成のリムレス眼鏡１０とした。これによれば、ブリッジ１２０にレンズ２００Ａ，２００Ｂが保持された状態において、レンズ２００Ａ，２００Ｂの裏面を、突起物のない滑らか面とすることができる。したがって、汚れの付着を抑制可能であるとともに、仮に汚れが付着しても、クロス等で容易に拭くことができる。
【００４１】
（４）テンプル１１２Ａ，１１２Ｂと、連結バー１１８に一体成形されたヨロイ１１４Ａ，１１４Ｂと、にヒンジ１１６Ａ，１１６Ｂを構成する部材（要素）を一体で形成したフレーム１００とした。これによれば、フレーム１００を精度良く組み立てることができる。なお、例えば、テンプル１１２Ａを交換するような事態が生じたとしても、新たなテンプル１１２Ａ精度良く取り付けることができる。
【図面の簡単な説明】
【００４２】
【図１】（ａ）及び（ｂ）は、本発明の実施形態におけるリムレス眼鏡を示す図
【図２】本発明の実施形態における連結バーを示す図
【図３】（ａ）及び（ｂ）は、本発明の実施形態におけるブリッジによるレンズ保持の態様を示す図
【図４】本発明の実施形態におけるリムレス眼鏡が変形した状態を示す図
【符号の説明】
【００４３】
１０  リムレス眼鏡
１００  フレーム
１１２Ａ，１１２Ｂ  テンプル
１１４Ａ，１１４Ｂ  ヨロイ
１１６Ａ，１１６Ｂ  ヒンジ
１１８  連結バー
１２０  ブリッジ
１２２Ａ，１２２Ｂ  ストッパー部
１２４Ａ，１２４Ｂ  端面配設部
１２６Ａ，１２６Ｂ  第１ピン部
１２８Ａ，１２８Ｂ  第２ピン部
２００Ａ，２００Ｂ  レンズ
２１０Ａ，２１０Ｂ  第１穴部
２１２Ａ，２１２Ｂ  第２穴部
【図１】
2010107794.tif 000003
【図２】
2010107794.tif 000004
【図３】
2010107794.tif 000005
【図４】
2010107794.tif 000006